(57)【要約】【課題】強度が高く車椅子が室内外方向に走行しても支障のない下枠フラットサッシを提供する。【解決手段】合成樹脂製の上下枠及び左右の縦枠を方形状に枠組みして枠体を構成し、枠体に室内外障子４、５及び網戸６を走行自在に納めてなる下枠フラットサッシにおいて、下枠１０は上面に室外側から順にそれぞれ突出状の網戸レール部１２ａ、外レール部１２ｂ、内レール部１２ｃ及び室内側部１２ｄを備えると共に、各レール部間には凹部が形成され、網戸レール部１２ａから網戸レール１２ａと外レール部１２ｂ間の凹部１３に渡って、金属からなり上面に網戸６を案内する網戸レール８１を備えた網戸レールカバー８０を設けてなる。【選択図】図３
2006233453.tif 000002
【特許請求の範囲】
【請求項１】
合成樹脂製の上下枠及び左右の縦枠を方形状に枠組みして枠体を構成し、該枠体に内外障子及び網戸を走行自在に納めてなる下枠フラットサッシにおいて、
上記下枠は上面に室外側から順にそれぞれ突出状の網戸レール部、外レール部、及び内レール部を備えると共に、各レール部間には凹部が形成され、上記網戸レール部から該網戸レールと外レール部間の凹部に渡って、金属からなり上面に上記網戸を案内する網戸レールを備えた網戸レールカバーを設けてなることを特徴とする下枠フラットサッシ。
【請求項２】
上記下枠は下部に中空部を有し、該中空部の上記外レール部下方には金属からなる外レール補強材を設けると共に、該外レール補強材と上記網戸レールカバーは上記網戸レール部と外レール部間の凹部においてネジまたはビス止めされてなることを特徴とする請求項１記載の下枠フラットサッシ。
【請求項３】
上記外レール補強材は上記外レール部の下部を支持するレール支持部と、上記網戸レール部と外レール部間の凹部の下部に配置される外延出部とからなり、上記網戸レールカバーは下枠の凹部底面を介して上記外レール補強材の外延出部に対しネジまたはビス止めされてなることを特徴とする請求項２記載の下枠フラットサッシ。
【発明の詳細な説明】
【技術分野】
【０００１】
本発明は樹脂材からなる枠体内に引き違い状の障子及び網戸を納めてなる下枠フラットサッシに関し、特に網戸を案内するレールの強度を大きくした下枠フラットサッシに関する。
【背景技術】
【０００２】
従来から、枠体内に引き違い状の障子及び網戸を納めてなるサッシにおいて、枠体及び障子を樹脂材で構成し、しかも下枠のレールの高さを揃えて敷居面を略フラットに形成した下枠フラットサッシが知られている。下枠フラットサッシとしては、例えば特許文献１に挙げるようなものがある。
【特許文献１】特開平１０−１１５１５２号公報
【０００３】
下枠フラットサッシでは、下枠は中空状に形成され、上面には室外側から順に網戸を案内する網戸レール、外障子を案内する外レール、内障子を案内する内レール、及び室内側部がそれぞれ突出状に形成される。各レール間は凹状に形成され、障子の下部に形成される垂下片が納められて、障子が長手方向に案内される。
【発明の開示】
【発明が解決しようとする課題】
【０００４】
外障子及び内障子は見込方向幅を大きく形成しているので、下枠の外レール及び内レールは中空状に形成され室内外方向に厚みを持って形成される。一方、網戸は見込方向幅が小さいため、網戸レールについては中空部を有しない板状の突出部として形成される。下枠フラットサッシは、敷居面を車椅子が室内外方向に走行することもあるため、樹脂材からなる板状の突出部である網戸レールは、強度が低く破損するおそれがあった。
【０００５】
本発明は、上記課題を解決すべくなされたものであり、強度が高く車椅子が室内外方向に走行しても支障のない下枠フラットサッシを提供することを目的とする。
【課題を解決するための手段】
【０００６】
上記課題を解決するため、本発明に係る下枠フラットサッシは、合成樹脂製の上下枠及び左右の縦枠を方形状に枠組みして枠体を構成し、該枠体に内外障子及び網戸を走行自在に納めてなる下枠フラットサッシにおいて、
上記下枠は上面に室外側から順にそれぞれ突出状の網戸レール部、外レール部、及び内レール部を備えると共に、各レール部間には凹部が形成され、上記網戸レール部から該網戸レールと外レール部間の凹部に渡って、金属からなり上面に上記網戸を案内する網戸レールを備えた網戸レールカバーを設けてなることを特徴として構成されている。
【０００７】
また、本発明に係る下枠フラットサッシは、上記下枠は下部に中空部を有し、該中空部の上記外レール部下方には金属からなる外レール補強材を設けると共に、該外レール補強材と上記網戸レールカバーは上記網戸レール部と外レール部間の凹部においてネジまたはビス止めされてなることを特徴として構成されている。
【０００８】
さらに、本発明に係る下枠フラットサッシは、上記外レール補強材は上記外レール部の下部を支持するレール支持部と、上記網戸レール部と外レール部間の凹部の下部に配置される外延出部とからなり、上記網戸レールカバーは下枠の凹部底面を介して上記外レール補強材の外延出部に対しネジまたはビス止めされてなることを特徴として構成されている。
【発明の効果】
【０００９】
本発明に係る下枠フラットサッシによれば、網戸レール部から網戸レール部と外レール部間の凹部に渡って、金属からなり上面に網戸を案内する網戸レールを備えた網戸レールカバーを設けてなることにより、網戸レールを金属材により補強することができるので、強度が高く車椅子が室内外方向に走行しても支障がないようにすることができる。
【００１０】
また、本発明に係る下枠フラットサッシによれば、中空部の外レール部下方には金属からなる外レール補強材を設け、外レール補強材と網戸レールカバーは網戸レール部と外レール部間の凹部においてネジまたはビス止めされてなることにより、網戸レールカバーを下枠に対して強固に固定することができる。
【００１１】
さらに、本発明に係る下枠フラットサッシによれば、網戸レールカバーは下枠の凹部底面を介して外レール補強材の外延出部に対しネジまたはビス止めされてなることにより、網戸レールカバーを容易かつ強固に外レール補強材に対して固定することができる。
【発明を実施するための最良の形態】
【００１２】
本発明の実施形態について図面に沿って詳細に説明する。図１は本実施形態における下枠フラットサッシの縦断面図、図２はその横断面図である。また、図３は図１における下枠１０と下框４０付近の拡大図である。本実施形態におけるサッシの基本構成は、建物開口部に取付けられる枠体１内に、外障子４と内障子５を引き違い状に納め、さらにその室外側には網戸６を納めてなるものである。枠体１は樹脂材からなり、下枠１０と上枠２０及び左右の縦枠３０、３０を方形状に枠組みして構成されるものである。また、外障子４と内障子５は、樹脂材からなる下框４０と上框５０及び左右の縦框６０、６０を方形状に框組みして框体２を構成し、その内部にガラス体３を納めてなるものである。
【００１３】
下枠１０は、樹脂材からなり、下部には中空状に形成されてなる中空部１１を有し、その上部には敷居面１２が形成されている。敷居面１２には、室外側から順にそれぞれ突出状の網戸レール部１２ａ、外レール部１２ｂ、内レール部１２ｃ、及び室内側部１２ｄが形成されている。これら外レール１２ｂ、内レール部１２ｃ、及び室内側部１２ｄの上面は、略同じ高さとなるように形成されている。
【００１４】
網戸レール部１２ａと外レール部１２ｂにより外側凹部１３が、外レール部１２ｂと内レール部１２ｃにより中間凹部１４が、内レール部１２ｃと室内側部１２ｄにより内側凹部１５が、それぞれ形成されている。上枠２０と縦枠３０についても、略同じ断面形状を有するように形成される。
【００１５】
次に、外障子４と内障子５について説明する。図３に示すように、外障子４の下框４０は、室外面を垂下した室外垂下部４１と、室内面を垂下した室内垂下部４２とを有し、室外垂下部４１は下枠１０の外側凹部１３に、室内垂下部４２は下枠１０の中間凹部１４に、それぞれ納められる。また、内障子５の下框４０も、室外面を垂下した室外垂下部４１と、室内面を垂下した室内垂下部４２とを有し、室外垂下部４１は下枠１０の中間凹部１４に、室内垂下部４２は下枠１０の内側凹部１５に、それぞれ納められる。
【００１６】
各垂下部の内側面にはそれぞれ気密材７が設けられており、各気密材７が外レール部１２ｂや内レール部１２ｃに対し当接することでサッシの気密性及び水密性を確保している。この構造は、上框５０及び縦枠３０側の縦框６０においても同様である。
【００１７】
図２に示すように、召合せ側の縦框６０については、樹脂材からなり縦框６０の外周面を覆う召合せ框カバー６１を設けて、室外垂下部４１及び室内垂下部４２が露出しないようにしている。また、この縦框６０の室外面には金属からなる煙返し部材６２が外障子４と内障子５で互い違いとなるように設けられており、これらが噛み合うことで障子の召合せ部分における気密性を確保している。
【００１８】
次に、網戸レール部１２ａの補強について説明する。図３に示すように、下枠１０の網戸レール部１２ａには、網戸レールカバー８０が取付けられる。網戸レールカバー８０は、外側凹部１３の室外面と底面を略覆うように形成され、上面には網戸６を案内する網戸レール８１が形成されている。この網戸レール８１の上端は外レール部１２ｂや内レール部１２ｃの上面と略同じ高さとなるように形成されている。
【００１９】
網戸レールカバー８０は、断面略Ｌ字状の板状に形成されており、下枠１０の外側凹部１３の室外面及び底面を略覆う被覆部８２と、外側凹部１３の上端部に係合する係合部８３とを有している。そして、係合部８３の上面に網戸レール８１が形成されている。このように金属材から構成される網戸レールカバー８０によって、樹脂材から構成されて下枠１０から板状に突出した網戸レール部１２ａが補強される。
【００２０】
また、下枠１０の中空部１１には、敷居面１２にかかる荷重を支えるための補強材が設けられている。外レール部１２ｂの下部には、金属からなる外レール補強材９０が設けられる。外レール補強材９０は、中空状に形成された外レール部１２ｂの下面に当接して外レール部１２ｂにかかる荷重を支える外レール支持部９０ａと、外レール支持部９０ａの上端室外端部から室外側に向かって延出する外側延出部９０ｂとからなっている。
【００２１】
外レール支持部９０ａの上半分は中空状に形成され、下半分は板状に形成されて下端部が下枠１０の中空部１１下面に当接する脚部を構成する。また、外側延出部９０ｂは外側凹部１３の底面裏側に当接し、外側凹部１３の底面表側に当接する網戸レールカバー８０の被覆部８２とネジ止めされる。このように、網戸レールカバー８０を外レール補強材９０に対してネジ止めしたことにより、網戸レールカバー８０の取付強度を充分に確保することができる。
【００２２】
内レール部１２ｃの下部には、金属からなる内レール補強材９１が設けられる。内レール補強材９１は、中空状に形成された内レール部１２ｃの下面に当接して内レール部１２ｃにかかる荷重を支えるようにしている。また、内レール補強材９１は、下辺の長い断面略コ字状に形成されており、下辺部分において下枠１０のさらに下方に設けられるアンカー部材９２に対しネジ止めされる。
【００２３】
これらのように、外レール補強材９０と内レール補強材９１は、それぞれ外レール部１２ｂと内レール部１２ｃを支持している。下枠１０の敷居面１２の中でも、内外障子４、５を案内する外レール部１２ｂ及び内レール部１２ｃに特に大きな荷重がかかるので、それらを支持する補強材により、強度の高い下枠１０とすることができる。一方で、下枠１０の中空部１１全体に補強材を設ける場合に比べると、補強材を小さくすることができるので、強度を充分に確保しつつコストダウンを図ることができる。
【００２４】
図４には、縦枠３０と外障子４の縦框６０付近の拡大図を示している。この図に示すように、縦枠３０の外レール部１２ｂの室外面は、縦框６０の気密材７が当接する部分から先端側にかけて、室内側に向かう傾斜面とされて傾斜部３１を形成している。また、縦枠３０の内レール部１２ｃについても同様に形成されている。なお、枠体１は下枠１０と上枠２０及び縦枠３０が全て略同じ断面形状を有しているから、外レール部１２ｂと内レール部１２ｃは四周に渡って同様に傾斜部３１を有している。
【００２５】
このように外レール部１２ｂ及び内レール部１２ｃに傾斜部３１を設けたことにより、外障子４や内障子５を開き始める際に、気密材７と各レール部との間に生じる摩擦による抵抗力を小さくすることができ、障子の初動開閉力を小さくすることができるので、小さな力で障子を開閉することができる。
【００２６】
次に、本発明の第２の実施形態について説明する。図５には、本実施形態における下枠フラットサッシの縦断面図、図６には、その横断面図を示している。これら各図に示すように、サッシの基本構成は第１の実施形態と同様である。第１の実施形態と異なるのは、下枠１０の中間凹部１４に外側アタッチメント７０を、内側凹部１５に内側アタッチメント７５を、それぞれ設けて敷居面１２の平坦面を拡大したことである。
【００２７】
そこで、各アタッチメントについて説明する。図７には、下枠１０と下框４０付近の拡大図を示している。外側アタッチメント７０は、下枠１０の中間凹部１４に長手方向に沿って設けられるもので、外障子４と内障子５の召合せ部分及び下枠１０の両端部近傍以外の領域に設けられる。なお、中間凹部１４の外障子４と内障子５の召合せ部分には、気密性及び水密性確保のための気密ブロック７８が設けられ、下枠１０の両端部近傍は、排水のために空間として流路を形成する。
【００２８】
外側アタッチメント７０は二部材からなり、下枠１０に対して固定される上方に開放した溝形状の基部材７１と、基部材７１の上方を覆うように設けられるカバー部材７２とから構成される。基部材７１は、下枠１０の中間凹部１４底面に形成されている取付部１４ａに対して底面を当接させ、ネジ止めすることによって面固定される。
【００２９】
基部材７１は、上部に被係合部７１ａを有しており、カバー部材７２は基部材７１上部の被係合部７１ａに対して係合する係合部７２ａを下部に有している。また、カバー部材７２は上面７３が平面状に形成されており、この上面７３の高さは外レール部１２ｂの上面の高さと略同じであって、また外レール部１２ｂの上面と略連続状とされている。すなわち、カバー部材７２の上面７３は、外レール部１２ｂの上面を室内側に拡張して平坦面を広くしている。
【００３０】
内側アタッチメント７５は、下枠１０の内側凹部１５に長手方向に沿って設けられるもので、下枠１０の両端部近傍以外の領域に設けられる。なお、内側凹部１５の下枠１０両端部近傍には、内障子５が縦枠３０に衝突しないように戸当たりブロック１６が設けられる。
【００３１】
内側アタッチメント７５は断面略コ字状に形成され、その両側面には下枠１０の内側凹部１５両側面に形成された取付部１５ａに適合する嵌合部７６が形成されている。下枠１０の内側凹部１５に形成された取付部１５ａは、上述のように嵌合凹部として形成されているので、内側アタッチメント７５の嵌合部７６は、それに対して嵌合自在な嵌合凸部として形成されている。このため、内側アタッチメント７５は内側凹部１５に対して上方から挿入することで容易に取付けることができる。このように、内側アタッチメント７５は内側凹部１５の取付部１５ａに対して面固定される。
【００３２】
内側アタッチメント７５の上面７７は平面状に形成されており、その高さが内レール部１２ｃの上面及び室内側部１２ｄの上面の高さと略同じとされている。また、内側アタッチメント７５の上面７７は、内レール部１２ｃから室内側部１２ｄに渡って設けられており、内レール部１２ｃの上面から室内側部１２ｄの上面までを略連続状として拡張し、平坦面を広くしている。
【００３３】
また、本実施形態においては、外障子４と内障子５の下框４０の形状が第１の実施形態とは異なっている。外障子４の下框４０は、室外面を垂下した室外垂下部４１を有し、室内面については垂下されずに室内下端部４３を構成する。室外垂下部４１は下枠１０の外側凹部１３に納められ、室内下端部４３は下面が外側アタッチメント７０の上面に対向する。また、内障子５の下框４０も、室外面を垂下した室外垂下部４１を有し、室内面については垂下されずに室内下端部４３を構成する。室外垂下部４１は下枠１０の中間凹部１４に納められ、室内下端部４３は下面が内側アタッチメント７５の上面に対向する。
【００３４】
上框５０や縦框６０の形状については、第１の実施形態の框体２に用いられるものと同一である。なお、縦框６０のうち内障子５の召合せ框には、室内側に断面中空状の召合せ框補強材６３を設けている。本実施形態の框体２は、室外垂下部４１と室内下端部４３を有する下框４０と、室外垂下部４１と室内垂下部４２を有するそれ以外の框とで、断面形状が異なることになる。図８（Ａ）には、下框４０と縦框６０の溶着部分の拡大図を示す。下框４０と縦框６０は、それぞれ端部を斜め４５°に切断し、端面を互いに突き合わせて溶着し固定するようにしている。
【００３５】
この場合に縦框６０の室内垂下部に相当する部分の先端は、下框４０の室内下端部４３の先端と突き合わされる。縦框６０の室外垂下部に相当する部分の先端は、室内垂下部に相当する部分の先端と同じ見付方向位置にあるので、室内下端部４３よりも見付方向外側まで延出している下框４０の室外垂下部４１は、縦框６０との突き合わせ面よりも外側に配置されることになる。上述のように縦框６０の室外垂下部に相当する部分と、下框４０の室外垂下部４１にはそれぞれ気密材７が設けられており、そのままでは気密材７が連続状とならない。図８においては、ハッチングで示した部分が気密材７を表している。
【００３６】
そこで、下框４０は溶着部分近傍で室外垂下部４１の気密材７を切欠き、縦框６０も溶着部分近傍で室外垂下部に相当する部分の気密材７を切欠いて、溶着部分には室内面に気密部４６ａを有したＬ字状のコーナーブロック４６を設ける。コーナーブロック４６を取付けた溶着部分の拡大図を図８（Ｂ）に示す。気密部４６ａは、下框４０の気密材７及び縦框６０の気密材７とそれぞれ連続状となるように形成しており、これによって下框４０と縦框６０の気密を連続的になすようにしている。
【００３７】
さらに、本実施形態においても、網戸レール部１２ａに対して網戸レールカバー８０が取付けられる。網戸レールカバー８０は、第１の実施形態と同様に金属からなり、下枠１０の外側凹部１３の室外面と底面を略覆う被覆部８２と、外側凹部１３の室外面上端部と係合する係合部８３を有している。ただし、被覆部８２の外側凹部１３の室外面を覆う部分については、中空部を有するように形成されており、その上面に平坦部８４が形成されている点で第１の実施形態とは異なる。また、平坦部８４に隣接するように網戸レール８１が形成されている。網戸レール部１２ａは、第１の実施形態と同様に樹脂材からなり下枠１０から板状に突出して形成されているので、この網戸レールカバー８０によって補強することができる。
【００３８】
網戸レールカバー８０が下枠１０の中空部１１に設けられた外レール補強材９０に固定される点は、第１の実施形態と同様である。すなわち、外レール補強材９０の外側延出部９０ｂは、下枠１０の外側凹部１３の底面裏側に当接し、外側凹部１３の底面表側に当接する網戸レールカバー８０の被覆部８２とネジ止めされる。これにより、網戸レールカバー８０が下枠１０に対して強固に固定される。
【００３９】
これまで本発明の実施形態について説明したが、本発明の適用はこれら実施形態には限られず、その技術的思想の範囲内において様々に適用されうるものである。
【図面の簡単な説明】
【００４０】
【図１】第１の実施形態における下枠フラットサッシの縦断面図である。
【図２】第１の実施形態における下枠フラットサッシの横断面図である。
【図３】図１の下部拡大図である。
【図４】図２の縦枠及び外障子の縦框付近の拡大図である。
【図５】第２の実施形態における下枠フラットサッシの縦断面図である。
【図６】第２の実施形態における下枠フラットサッシの横断面図である。
【図７】図５の下部拡大図である。
【図８】下框と縦框の溶着部分の拡大図である。
【符号の説明】
【００４１】
１    枠体
２    框体
３    ガラス体
４    外障子
５    内障子
６    網戸
７    気密材
１０    下枠
１１    中空部
１２    敷居面
１２ａ  網戸レール部
１２ｂ  外レール部
１２ｃ  内レール部
１２ｄ  室内側部
１３    外側凹部
１４    中間凹部
１４ａ  取付部
１５    内側凹部
１５ａ  取付部
４０    下框
４１    室外垂下部
４２    室内垂下部
４３    室内下端部
４５    戸車
７０    外側アタッチメント
７１    基部材
７２    カバー部材
７３    上面
７５    内側アタッチメント
７６    嵌合部
７７    上面
８０    網戸レールカバー
８４    平坦部
【図１】
2006233453.tif 000003
【図２】
2006233453.tif 000004
【図３】
2006233453.tif 000005
【図４】
2006233453.tif 000006
【図５】
2006233453.tif 000007
【図６】
2006233453.tif 000008
【図７】
2006233453.tif 000009
【図８】
2006233453.tif 000010